(57)【要約】【課題】コンクリート躯体上面の勾配にバラツキが存在しても、手摺支柱保持具の鉛直取付けを容易にする取付け調整金具および取付け方法を提供する。【解決手段】中空状支柱１１を有する手摺り１０が固定される手摺支柱保持具５とコンクリート躯体上面２ａとの間に配置される手摺支柱保持具取付け調整金具１において、第１の環状体１ａの上部に前記第１の環状体１ａより縮径された外径を有する第２の環状体１ｂを一体形成し、前記第２の環状体１ｂの上部は略中央に孔１ｄを有する平板部１ｃを形成し、前記第１の環状体１ａの下端１ｆに勾配面を設けた調整金具１を複数個積重ねて用い、この複数の調整金具１の配置角度を相互に変化させることにより上記課題を解決する。【選択図】      図２
2004257139.tif 000002
【特許請求の範囲】
【請求項１】
中空状支柱を有する手摺りが固定される手摺支柱保持具とコンクリート躯体上面との間に配置される手摺支柱保持具取付け調整金具において、第１の環状体の上部に前記第１の環状体より縮径された外径を有する第２の環状体を一体形成し、前記第２の環状体の上部は略中央に孔を有する平板部を形成し、前記第１の環状体の下端を勾配面としたことを特徴とする手摺支柱保持具取付け調整金具。
【請求項２】
前記第２の環状体の外周部を裁頭円錐形状としたことを特徴とする請求項１記載の手摺支柱保持具取付け調整金具。
【請求項３】
前記第１の環状体の外周部の１箇所以上に横孔を設けたことを特徴とする請求項１または２記載の手摺支柱保持具取付け調整金具。
【請求項４】
コンクリート躯体に固着されたアンカーボルトに、請求項１〜３のいずれかに記載の手摺支柱保持具取付け調整金具の下端面を下向きに複数個挿通し、その上に前記手摺支柱保持具取付け調整金具の縮径外径より若干大きな内径を有するパイプを外嵌し、このパイプの上端に環状端面金具を当接し、前記アンカーボルトにナットを螺合することにより前記パイプをコンクリート躯体に固定したことを特徴とする手摺支柱保持具の取付け方法。
【請求項５】
前記環状端面金具は、第３の環状体の上部に前記第３の環状体より縮径された外径を有する第４の環状体を一体形成し、前記第４の環状体の上部は略中央に孔を有する平板部を形成し、前記第３の環状体の下端を勾配面とした金具であって、この金具を上下反転して前記パイプ上端に当接したことを特徴とする請求項４記載の手摺支柱保持具の取付け方法。
【発明の詳細な説明】
【０００１】
【発明の属する技術分野】
本発明は、マンション等のベランダに設置される手摺支柱保持具取付け調整金具および手摺支柱保持具の取付け方法に関する。
【０００２】
【従来の技術】
日本では多くのマンションにベランダが設けられ、ベランダ自体は鉄筋コンクリートの躯体から出来ているものが多い。また、ベランダの外縁部には転落防止を主目的とした手摺りが設けられている。そして、手摺りの一部または全部には、図７に示すように主としてアルミニウム合金材料からなる標準品である手摺り１０が取付けられる。これら標準品としての手摺り１０には種々のものが存在するが、いずれの手摺り１０も工場で大量生産されているものであり、支柱１１、笠木１２、縦桟１３、上弦材１４、下弦材１５等で構成され、ベランダの外縁をなすコンクリート躯体２の上面２ａに手摺支柱保持具を介して取り付けられる。
【０００３】
ここで留意しなければならないのは、手摺支柱保持具が取付けられるコンクリート躯体２の上面２ａには、雨水の流れを良くするため勾配が設けられている事実である。多くの場合、水平面に対して５〜１０度程度内側が低くなるように勾配が設けられている。一方、手摺り１０の支柱１１は、言うまでもなく鉛直に設置する必要がある。したがって、手摺支柱保持具の取付けの際には、コンクリート躯体２の上面２ａに対して直角ではなく、５〜１０度の角度だけ補償して取付ける必要がある。
【０００４】
従来は、図８に示すように上記角度補償を行うために手摺支柱保持具２１の下部端面板２１ａは、手摺支柱保持具２１の軸線に対して直角ではなく、予め５〜１０度の角度を付与して製作されていた。したがって、この下部端面板２１ａの取付け角度とコンクリート躯体上面２ａの角度が一致すれば、手摺支柱保持具２１は鉛直に取付けられることになり、手摺り１０の支柱１１も鉛直に取付けられるようになっている。
【０００５】
また、調整プレートを用いて手摺支柱保持具の傾きを含む位置調整を行う取付け方法もある（例えば、特許文献１参照）。具体的には、図９に示すように凸状をなす球面形状の上面を有する調整プレート２４と、この調整プレート２４の上面に対応し、凹状をなす球面形状の鍔部２３ａを有する手摺支柱保持具２３により、手摺支柱保持具２３の傾きを含む位置調整を行う取付け方法が記載されている。
【０００６】
【特許文献１】
特開２００２−２９４９６４号公報
【０００７】
【発明が解決しようとする課題】
しかし、上述した図８に示す従来の手摺支柱保持具の取付け方法では、手摺支柱保持具２１の下部端面板２１ａの勾配角が固定であるため、取付け面であるコンクリート躯体上面２ａの角度にバラツキがあると、そのバラツキがそのまま手摺支柱保持具２１の傾きとなって現われ、手摺りの上部を構成する笠木１２部分では、相当大きな水平変位となってしまう。したがって、従来例においては、数種類の厚さを有するシム２２を予め用意しておき、コンクリート躯体上面２ａの勾配角のバラツキに応じて、適宜コンクリート躯体２の上面２ａと手摺支柱保持具２１の下部端面板２１ａの間に何枚かのシム２２を挿入して調整していた。このシム調整は、設置する手摺支柱保持具２１ごとに試行錯誤的に行う必要があることから調整に多くの時間を費やしていた。
【０００８】
一方、前記特許文献に開示された図９に示す取付け方法においては、凹凸面を構成する両球面の曲率を大きくすれば調整可能範囲も広がり、両球面の曲率が一致すれば調整も容易に行うことができる。しかし、理論上は曲率に制限はないとはいえ、実際に球面の曲率を大きくすると、両球面の曲率を一致させることが困難になる。その結果、手摺支柱保持具２３の設置に際して調整可能な傾き範囲には自ずと限界があった。さらに、手摺支柱保持具２３の鍔部２３ａとコンクリート躯体２の上面２ａとの間に調整プレート２４を挟んで固定する際には、２本のアンカーボルト３を要し、アンカーボルト３の固着作業等の一連の作業に多くの時間を費やしていた。
【０００９】
本発明は上述した従来技術の課題に鑑みてなされたものであり、ベランダの手摺支柱保持具を取付けるコンクリート躯体上面の勾配角にバラツキが存在しても容易、かつ短時間に手摺支柱保持具の取付けを可能とするものである。より具体的には、手摺りの支柱を固定する手摺支柱保持具を鉛直に取り付けることを容易にする取付け調整金具および取付け方法を提供することを課題とするものである。
【００１０】
【課題を解決するための手段】
本発明における請求項１の手摺支柱保持具取付け調整金具は、中空状支柱を有する手摺りが固定される手摺支柱保持具とコンクリート躯体上面との間に配置される手摺支柱保持具取付け調整金具において、第１の環状体の上部に前記第１の環状体より縮径された外径を有する第２の環状体を一体形成し、前記第２の環状体の上部は略中央に孔を有する平板部を形成し、前記第１の環状体の下端に勾配面を設けたものである。
【００１１】
この手摺支柱保持具取付け調整金具を２個使用することにより、手摺支柱保持具を取付けるコンクリート躯体面の傾斜角が区々であっても、所定範囲内のバラツキであればこれらの手摺支柱保持具取付け調整金具相互の配置角度を調整することにより、容易に手摺支柱保持具を鉛直に取り付けることができる。
【００１２】
本発明における請求項２の手摺支柱保持具取付け調整金具は、前記第２の環状体の外周部を裁頭円錐形状としたものである。
【００１３】
この手摺支柱保持具取付け調整金具を２個使用することにより、前記請求項１記載の手摺支柱保持具取付け調整金具と同様な作用効果を奏する他、２個の手摺支柱保持具取付け調整金具を積重ねる際の作業が容易になる。
【００１４】
本発明における請求項３の手摺支柱保持具取付け調整金具は、前記第１の環状体の外周部の１箇所以上に横孔を設けたものである。
【００１５】
この手摺支柱保持具取付け調整金具を２個使用することにより、前記請求項１又は２記載の手摺支柱保持具取付け調整金具と同様な作用効果を奏する他、２個の手摺支柱保持具の取付け調整金具を積重ねた後、相互の配置角度を調整する際の作業が容易になる。
【００１６】
本発明における請求項４の手摺支柱保持具の取付け方法は、コンクリート躯体に固着されたアンカーボルトに、請求項１〜３のいずれかに記載の手摺支柱保持具取付け調整金具の下端面を下向きに複数個挿通し、その上に前記手摺支柱保持具取付け調整金具の縮径外径より若干大きな内径を有するパイプを外嵌し、このパイプの上端に環状端面金具を当接し、前記アンカーボルトにナットを螺合することにより前記パイプをコンクリート躯体に固定したものである。
【００１７】
この手摺支柱保持具の取付け方法によれば、手摺支柱保持具を取付けるコンクリート躯体上面の勾配角が区々であっても、所定範囲内のバラツキであれば手摺支柱保持具取付け調整金具相互の配置角度を調整することにより、手摺支柱保持具を鉛直に取付けることが容易になる。さらに、コンクリート躯体面に対して手摺支柱保持具取付け調整金具とパイプ及び環状端面金具が、アンカーボルトにより一体にして圧縮固定されるので、手摺支柱保持具全体としてコンクリート躯体への取付け剛性が大きくなり、強固な手摺支柱保持具を実現することができる。
【００１８】
本発明における請求項５の手摺支柱保持具の取付け方法は、前記環状端面金具は、第３の環状体の上部に前記第３の環状体より縮径された外径を有する第４の環状体を一体形成し、前記第４の環状体の上部は略中央に孔を有する平板部を形成し、前記第３の環状体の下端を勾配面とした金具であって、この金具を上下反転して前記パイプ上端に当接したものである。
【００１９】
この手摺支柱保持具の取付け方法によれば、環状端面金具として手摺支柱保持具取付け調整金具を用いることから、部品の共通化が図られ、部品購入コストおよび部品管理コストの低減がもたらされる。
【００２０】
【発明の実施の形態】
以下、本発明の実施例について図面に基づいて説明する。図１は本発明の実施例としての手摺支柱保持具取付け調整金具（以下、発明の実施の形態の説明では「調整金具」という。）の外観斜視図であり、図２はその中央断面図である。図２に示すように、本発明の実施例としての調整金具は、第１の環状体１ａの上部に前記第１の環状体１ａより縮径された外径を有する第２の環状体１ｂを一体形成し、前記第２の環状体１ｂの上部には略中央に孔１ｄを有する平板部１ｃが形成されている。そして、前記第１の環状体１ａの下端１ｆには勾配面が設けられている。したがって、調整金具１の上端面１ｈと下端面１ｆとは平行面を構成しない。具体的には５度程度の勾配が付与されている。
【００２１】
次に、この調整金具１を傾斜したコンクリート躯体上面２ａに適用した場合の構成と取付け方法について、図３に基づいて説明する。図３において、２は手摺り１０を設置すべきベランダの外縁部のコンクリート躯体であり、その上面２ａの所定位置には略鉛直となるようにアンカーボルト固着用穴２ｂが設けられる。その後、所定長さを有するアンカーボルト３が固着される。アンカーボルト３には種々の形式のものがあるが、本実施例に用いるアンカーボルト３は種類を問わず適用できる。図３に示すアンカーボルト３は、いわゆるケミカルアンカーと呼ばれているものであり、固着剤４によりコンクリート躯体２に設けた穴２ｂ内に固着されるものである。
【００２２】
アンカーボルト３を鉛直状態に固着した後、本発明による調整金具１を２個用意し、調整金具１の下端１ｆがコンクリート躯体の上面２ａに接する方向にして調整金具の孔１ｄをアンカーボルト３に挿入する。調整金具１は２個同時にアンカーボルト３に挿入してもよいし、別々に挿入してもよい。また、この段階では２個の調整金具１の相互の配置角度に留意する必要はないが、下側になる調整金具１はコンクリート躯体上面２ａの勾配を相殺するように配置するのが好ましい。
【００２３】
次に、手摺支柱保持具となるパイプ５を上側の調整金具１の上面１ｈに載置する。このパイプ５には側面の一部に手摺り１０の中空状支柱１１を取付けるための螺子穴５ａが設けられている。また、このパイプ５の内径は調整金具１の第２の環状体１ｂの大径寸法より若干大きな寸法を有しており、外径は調整金具１の第１の環状体１ａの外径寸法とほぼ同一に製作されている。なお、パイプ５の上下両端面はパイプ５の軸線に対して直角に仕上げられている。したがって、パイプ５を上側の調整金具１上に載置した段階で、パイプ５の鉛直姿勢が確保できているか否かは目視にて容易に判定できる。殊に鉛直に設置されたアンカーボルト３が、パイプ５内壁の中心に位置するか否かを観察することにより、パイプ５の鉛直姿勢が確保されているか否かは容易に判定できる。ここで、パイプ５の鉛直姿勢が確保できていない場合、２個重ねて装着された調整金具１のうち、上側の調整金具１を回転させて相互の配置角度を調整する。調整金具１の回転によりパイプ５の傾きも変化するので、パイプ５の鉛直姿勢が確保された段階で調整金具１の回転を止める。以上の操作によりパイプ５の鉛直調整は完了する。なお、調整金具１の回転操作を行う際には、調整金具１の第１の環状体１ａに設けられた横孔１ｇにプラスドライバー等の軸を挿入して回転させると、微調整であっても容易に作業を行うことができる。
【００２４】
その後、前記パイプ５の上端に環状端面金具６を装着し、アンカーボルト３にナット７を螺合して２個の調整金具１、パイプ５、環状端面金具６を一体としてコンクリート躯体上面２ａに固定する。以上により手摺支柱保持具５を鉛直姿勢で取付けることができる。なお、手摺り１０の取付けは、手摺り１０の支柱１１に設けられた取付け孔１１ａとパイプ５の側面に設けられた螺子孔５ａとを位置合わせした後、ビス８等により締結される。
【００２５】
次に、この調整金具１を傾斜したコンクリート躯体上面２ａに適用した場合の作用を図４に基づいて説明する。図４に示すように、本調整金具１は２個とも下端面１ｆが下向きになるよう積重ねて使用する。コンクリート躯体上面２ａの勾配角αと調整金具１に付与された勾配角が一致すれば、１個だけ使用することで手摺支柱保持具５を鉛直に固定することができる。両勾配の方向を一致させれば補償できるからである。しかしながら、そのようなケースは稀であり、一般的とは言えない。コンクリート躯体上面２ａの勾配角が一定範囲内ではあるが変動する場合には、任意の角度に対応して補償する必要がある。そのためには、２個の調整金具１を対として用いる必要がある。同一の調整金具１を２個用いて相互の配置角度を調整することにすると、単独の調整金具１に付与された勾配角の２倍の角度から平行面、すなわち角度０まで連続的に可変調整することができる。たとえば、単独の調整金具１に付与された勾配角が５度であれば、０〜１０度まで任意の角度に設定調整することができる。図４は２個の調整金具１の勾配の方向を同一とした場合を示している。上記の例ではα＝１０度の傾斜面の補償に適用できる。
【００２６】
一方、図５は２個の調整金具１の勾配の方向を正反対にした場合を示している。上記の例ではα＝０度の水平面の補償に適用できる。このようにして、２個の調整金具１の配置角度を同一方向から正反対まで連続的に１８０度変化させることにより、０〜１０度の傾斜面を補償して水平面を得ることが可能になる。換言するなら、手摺支柱保持具５を鉛直に固定することが可能になる。
【００２７】
以上述べたように、本実施例による調整金具１を２個用いて相互の配置角度を調整することにより、手摺支柱保持具であるパイプ５を取付けるコンクリート躯体上面２ａの勾配にバラツキが存在しても、所定範囲内のバラツキであれば手摺支柱保持具５を鉛直に取付けることができる。
【００２８】
また、図２に示すように、第２の環状体１ｂの外周部１ｅを裁頭円錐形状としている。このことにより、複数の調整金具１を積重ねる場合の作業が容易になるし、芯合わせも容易になる。
【００２９】
さらに、第１の環状体１ａの外周部の１箇所以上に横孔１ｇを設けている。このことにより、複数の調整金具１を積重ねた後、相互の配置角度を調整する段階において、該横孔１ｇに適宜丸棒等を挿入することにより調整金具１を回転させることができる。したがって、複数の調整金具１の配置角度の調整を容易に行うことができる。
【００３０】
上述したように本実施例による調整金具１の取付け方法は、コンクリート躯体２に固着されたアンカーボルト３に、調整金具１の下端１ｆ面を下向きに２個挿通し、その上に前記調整金具１の縮径外径より若干大きな内径を有するパイプ５を外嵌し、このパイプ５の上端に環状端面金具６を当接し、前記アンカーボルト３にナット７を螺合することにより前記パイプ５をコンクリート躯体２に固定したのである。その結果、手摺支柱保持具５を取付けるコンクリート躯体上面２ａの傾斜角が区々であっても、所定範囲内のバラツキであれば調整金具１相互の配置角度を調整することにより、手摺支柱保持具５を鉛直に取り付けることが容易になる。
【００３１】
また、図８および図９に示す従来例のように調整シム２２や調整プレート２４を必要とすることもない。したがって、手摺支柱保持具５の鉛直取付け調整が容易であるのみならず、低コストで手摺り１０の設置工事を行うことができる。
【００３２】
さらに、コンクリート躯体上面２ａに対して調整金具１とパイプ５及び環状端面金具６が、アンカーボルト３により一体として圧縮固定されるので、手摺支柱保持具５全体としてコンクリート躯体上面２ａへの取付け剛性が大きくなり、強固な手摺支柱保持具５を実現することができる。
【００３３】
なお、手摺り１０の支柱１１は、通常図６に示すように矩形または正方形の断面を有するアルミニウム合金材料を用いた押出し成型品から製作される。手摺支柱保持具５をコンクリート躯体上面２ａに固定した後、この標準量産品である手摺り１０の支柱１１を手摺支柱保持具５の上部から被せるようにして装着する。また、手摺り支柱１１の側面の所定位置には、手摺支柱保持具５へ取付けるための孔１１ａが設けられており、手摺支柱保持具を構成するパイプ５の対応する螺子孔５ａにビス８等により適宜固定される。
【００３４】
また、上述した取付け方法において、パイプ５の上面に当接する環状端面金具６には、第３の環状体の上部に前記第３の環状体より縮径された外径を有する第４の環状体を一体形成し、前記第４の環状体の上部は略中央に孔を有する平板部を形成し、前記第３の環状体の下端を勾配面とした金具であって、この金具を上下反転して用いることができる。具体的には請求項１〜３のいずれかに記載した調整金具１を上下反転して用いることができる。すなわち、図３に示すように調整金具１の下端１ｆが上方になるような姿勢で装着する。このようにして用いると、パイプ５の中心位置と鉛直に固着されたアンカーボルト３の中心位置とを容易に確認できる。また、パイプ５の下部に配置される本来の調整金具１と共通化できるので、部品点数が削減され、部品購入コストおよび部品管理コストの低減がもたらされる。
【００３５】
なお、本発明は前記実施例に限定されるものではなく、種々の変形実施が可能である。たとえば前記実施例では、調整金具１の第１の環状部１ａの外形を円筒形状としているが、円筒形状に替えて多角形状にして配置角度の調整作業を容易にすることもできる。また、前記実施例では、適用可能なコンクリート躯体上面２ａの勾配角αとして１０度を最大値として説明したが、αの最大値が１０度に限定されないことは言うまでもない。
【００３６】
【発明の効果】
本発明における請求項１の手摺支柱保持具取付け調整金具によれば、複数の手摺支柱保持具取付け調整金具を積重ねて使用し、それら複数の手摺支柱保持具取付け調整金具相互の配置角度を変化させることで、積重ねられた第１の環状体の勾配角を連続的に変化させることができる。したがって、この手摺支柱保持具取付け調整金具をベランダのコンクリート躯体上面と手摺支柱保持具との間に用いると、極めて容易に手摺支柱保持具の鉛直姿勢を確保することができる。
【００３７】
本発明における請求項２の手摺支柱保持具取付け調整金具によれば、複数の手摺支柱保持具取付け調整金具を積重ねる際の作業が容易になる。
【００３８】
本発明における請求項３の手摺支柱保持具取付け調整金具によれば、複数の手摺支柱保持具取付け調整金具を積重ねた後、相互の配置角度を調整する際の作業が容易になる。
【００３９】
本発明における請求項４の手摺支柱保持具の取付け方法によれば、手摺支柱保持具を取付けるコンクリート躯体上面の傾斜角が区々であっても、所定範囲内のバラツキであれば複数の手摺支柱保持具取付け調整金具相互の配置角度を調整することにより、手摺支柱保持具を鉛直に取り付けることが容易になる。
【００４０】
本発明における請求項５の手摺支柱保持具取付け方法によれば、部品の共通化が図られ、部品購入コストおよび部品管理コストの低減がもたらされる。
【図面の簡単な説明】
【図１】本発明の実施例を示す手摺支柱保持具取付け調整金具の外観斜視図である。
【図２】同上、中央断面図である。
【図３】本発明の実施例を示す手摺支柱保持具の取付け方法を示す断面図である。
【図４】同上、手摺支柱保持具取付け調整金具を傾斜面に適用した例を示す断面図である。
【図５】同上、手摺支柱保持具取付け調整金具を水平面に適用した例を示す断面図である。
【図６】図３のＡ−Ａ線断面図である。
【図７】ベランダに設置された手摺りを示す一部切欠き斜視図である。
【図８】従来例としての手摺支柱保持具の取付け方法を示す断面図である。
【図９】特許文献１に開示された手摺支柱保持具の取付け方法を示す断面図である。
【符号の説明】
１  手摺支柱保持具取付け調整金具
１ａ  第１の環状体、第３の環状体
１ｂ  第２の環状体、第４の環状体
１ｃ  平板部
１ｄ  孔
１ｅ  裁頭円錐面
１ｆ  下端
１ｇ  横孔
２  コンクリート躯体
３  アンカーボルト
５  手摺支柱保持具、パイプ
６  環状端面金具
７  ナット
１０  手摺り
１１  支柱
【図１】
2004257139.tif 000003
【図２】
2004257139.tif 000004
【図３】
2004257139.tif 000005
【図４】
2004257139.tif 000006
【図５】
2004257139.tif 000007
【図６】
2004257139.tif 000008
【図７】
2004257139.tif 000009
【図８】
2004257139.tif 000010
【図９】
2004257139.tif 000011